(57)【要約】【課題】回路面積の増大を抑制しながら保持容量線に対して容量電圧信号を好適に供給する。【解決手段】電気光学装置（１０１）は、容量線（ＳＣ）と、容量線駆動ユニット（５１）を備える容量線駆動回路（５）とを備え、容量線駆動ユニットは、極性信号（ＰＯＬ）がゲートに入力される第１素子（ＮＴ１）と、反転極性信号（ＸＰＯＬ）がゲートに入力される第２素子（ＮＴ２）と、端子（Ｑ、／Ｑ）が第１及び第２素子のソースに接続されるラッチ回路（１２）と、後段行の走査信号がゲートに入力され、ソースが第１及び第２素子のドレインに接続され且つドレインが低位電源（ＶＥＥ）に接続される第３素子（ＮＴ３）と、ラッチ回路の一方の端子の電位レベルに応じて、第１及び第２信号（ＶＯＣＭＨ、ＶＣＯＭＬ）のいずれかを容量線に供給する供給回路（１３、ＰＴ１、ＮＴ８）とを備える【選択図】図３
2010197544.tif 000002
【特許請求の範囲】
【請求項１】
複数の走査線と、
前記複数の走査線と交差する複数のデータ線と、
前記複数の走査線と前記複数のデータ線との交差に対応してマトリクス状に配置される複数の画素部と、
前記複数の走査線に沿って伸張すると共に、前記複数の画素部の保持容量を形成する複数の保持容量線と、
前記複数の保持容量線の夫々に対して、第１の電位レベルを有する第１容量電圧信号又は前記第１の電位レベルとは異なる第２の電位レベルを有する第２容量電圧信号を順次供給する複数の保持容量線駆動ユニットを備える保持容量線駆動回路と
を備え、
前記複数の保持容量線駆動ユニットの夫々は、
前記容量電圧信号の極性を決定する極性信号及び前記極性信号の反転信号である反転極性信号のいずれか一方がゲートに入力される第１スイッチング素子と、
前記極性信号及び前記反転極性信号のいずれか他方がゲートに入力される第２スイッチング素子と、
前記第１スイッチング素子のソース及びドレインの一方に一方の端子が接続され且つ前記第２スイッチング素子のソース及びドレインの一方に他方の端子が接続されるラッチ回路と、
前段行及び後段行のいずれか一方の前記走査線に供給される走査信号がゲートに入力されると共に、ソース及びドレインの一方が前記第１スイッチング素子のソース及びドレインの他方並びに前記第２スイッチング素子のソース及びドレインの他方に接続され且つソース及びドレインの他方が低位電源に接続される第３スイッチング素子と、
前記ラッチ回路の一方の端子の電位レベルに応じて、前記第１容量電圧信号及び前記第２容量電圧信号のいずれか一方を選択して前記保持容量線に供給する供給回路と
を備えることを特徴とする電気光学装置。
【請求項２】
前記第３スイッチング素子のゲートには、前段行の前記走査線に供給される走査信号が入力され、
後段行の前記走査線に供給される走査信号がゲートに入力されると共に、ソース及びドレインの一方が前記第１スイッチング素子のソース及びドレインの他方並びに前記第２スイッチング素子のソース及びドレインの他方に接続される第４スイッチング素子と、
前記走査信号の走査方向が順方向であることを示すスキャン信号がゲートに入力される共に、ソース及びドレインの一方が前記第４スイッチング素子のソース及びドレインの他方に接続され且つソース及びドレインの他方が低位電源に接続される第５スイッチング素子と、
前記スキャン信号の反転信号である反転スキャン信号がゲートに入力される共に、ソース及びドレインの一方が前記第３スイッチング素子のソース及びドレインの他方に接続され且つソース及びドレインの他方が低位電源に接続される第６スイッチング素子と
を更に備えることを特徴とする請求項１に記載の電気光学装置。
【請求項３】
前記第５スイッチング素子及び前記第６スイッチング素子は、隣接する行に配置される２つの保持容量線駆動ユニットに対して１つずつ設けられることを特徴とする請求項２に記載の電気光学装置。
【請求項４】
前記保持容量線駆動回路に対するリセット動作のトリガーとなるリセット信号がゲートに入力されると共に、ソース及びドレインの一方が前記第１スイッチング素子のソース及びドレインの他方及び前記第２スイッチング素子のソース及びドレインの他方に接続され且つソース及びドレインの他方が低位電源に接続される第７スイッチング素子を更に備えることを特徴とする請求項１から３のいずれか一項に記載の電気光学装置。
【請求項５】
前記極性信号及び前記反転極性信号を供給する制御回路と前記保持容量線駆動回路との間に接続されると共に、前記極性信号及び前記反転極性信号の位相差を補償する位相差制御回路を更に備えることを特徴とする請求項１から４のいずれか一項に記載の電気光学装置。
【請求項６】
前記極性信号及び前記反転極性信号を供給する制御回路と前記複数の保持容量線駆動ユニットの夫々との間に接続されると共に、前記極性信号及び前記反転極性信号の位相差を補償する複数の位相差制御回路を更に備えることを特徴とする請求項１から４のいずれか一項に記載の電気光学装置。
【請求項７】
複数の走査線と、前記複数の走査線と交差する複数のデータ線と、前記複数の走査線と前記複数のデータ線との交差に対応してマトリクス状に配置される複数の画素部と、前記複数の走査線に沿って伸張すると共に、前記複数の画素部の保持容量を形成する複数の保持容量線とを備える電気光学装置に備えられる保持容量線駆動回路であって、
前記保持容量線駆動回路は、前記複数の保持容量線の夫々に対して、第１の電位レベルを有する第１容量電圧信号又は前記第１の電位レベルとは異なる第２の電位レベルを有する第２容量電圧信号を順次供給する複数の保持容量線駆動ユニットを備え、
前記複数の保持容量線駆動ユニットの夫々は、
前記容量電圧信号の極性を決定する極性信号及び前記極性信号の反転信号である反転極性信号のいずれか一方がゲートに入力される第１スイッチング素子と、
前記極性信号及び前記反転極性信号のいずれか他方がゲートに入力される第２スイッチング素子と、
前記第１スイッチング素子のソース及びドレインの一方に一方の端子が接続され且つ前記第２スイッチング素子のソース及びドレインの一方に他方の端子が接続されるラッチ回路と、
前段行及び後段行のいずれか一方の前記走査線に供給される走査信号がゲートに入力されると共に、ソース及びドレインの一方が前記第１スイッチング素子のソース及びドレインの他方並びに前記第２スイッチング素子のソース及びドレインの他方に接続され且つソース及びドレインの他方が低位電源に接続される第３スイッチング素子と、
前記ラッチ回路の一方の端子の電位レベルに応じて、前記第１容量電圧信号及び前記第２容量電圧信号のいずれか一方を選択して前記保持容量線に供給する供給回路と
を備えることを特徴とする保持容量線駆動回路。
【請求項８】
請求項１から６のいずれか一項に記載の電気光学装置を備えることを特徴とする電子機器。
【発明の詳細な説明】
【技術分野】
【０００１】
本発明は、例えば液晶装置等の電気光学装置、このような電気光学装置に用いられる保持容量線駆動回路、このような電気光学装置を備える電子機器の技術分野に関する。
【背景技術】
【０００２】
この種の電気光学装置として、一対の素子基板及び対向基板間に、電気光学物質の一例である液晶が挟持される液晶装置が一例としてあげられる。素子基板上における画素領域には、走査線及びデータ線の交差に対応して画素電極を含む画素部が形成されることにより、複数の画素部がマトリクス状に平面配列される。そして、各画素部には、画素スイッチング素子として、例えば薄膜トランジスタ（Thin Film Transistor；以下適宜、「ＴＦＴ」と称する）が含まれる。電気光学装置の駆動時、各画素部において、走査線より走査信号が供給されることにより画素スイッチング素子がオン状態となると、データ線より画素スイッチング素子を介して画素電極に画像信号が供給される。また、典型的には、複数の画素電極に対応して、画素領域の概ね全体に、複数の画素部に共通に共通電極がベタ状に形成されている。そして、液晶装置の駆動時には、画素電極と共通電極との間の電位差に基づく印加電圧が液晶に印加される。その結果、液晶の配向や秩序が制御され、画像表示が可能となる。
【０００３】
ところで、液晶装置には、適用される電子機器の特性、特長及び用途等から、低消費電力が強く求められている。この一方、データ線は高い周波数で駆動され且つ液晶の駆動には通常１０ボルト以上の高い電圧振幅が必要であるため、データ線には高い電圧振幅を有する画像信号が供給されるのが一般的である。
【０００４】
このような低消費電力化の要請に応えるために、データ線に供給されるデータ信号（画像信号）の電位が正極性書込に対応するものであるか又は負極性書込に対応するものであるかに応じて、液晶と並列に接続される保持容量を形成する保持容量線の電位を、高位側又は低位側にシフトさせることにより、データ線に供給される画像信号の電圧振幅を低減させ、その結果、低消費電力化を実現する蓄積容量線（Storage Swinging Line）駆動を採用する液晶装置が開発されている（例えば、特許文献１参照）。
【０００５】
ここで、保持容量線を駆動する（つまり、保持容量線に対して高位側又は低位側の容量電圧信号を供給する）ための保持容量線駆動回路は、画素領域に対して、走査線に走査信号を供給するための走査線駆動回路と同じ側の辺に沿って又は対向する側の辺に沿って配置されるのが一般的である。この場合、保持容量線駆動回路を配置するために、液晶装置上での回路面積が増大してしまう。このため、特許文献１に開示された構成では、走査線駆動回路に対して保持容量線駆動回路を追加すると共に走査信号を生成するためのシフトレジスタ出力を保持容量線駆動回路に対して入力することで、回路面積の増大を抑制している。
【先行技術文献】
【特許文献】
【０００６】
【特許文献１】特開２００６−２２０９４７号公報
【発明の概要】
【発明が解決しようとする課題】
【０００７】
しかしながら、上述した特許文献１に開示された構成では、シフトレジスタや、Ｔ型フリップフロップ回路や、選択回路を用いて保持容量線駆動回路を構成する必要がある。この場合、特にＴ型フリップフロップ回路は回路素子数が多くなるため、結果として回路面積が増大してしまうという技術的な問題点を有している。
【０００８】
本発明は、例えば上述した従来の問題点に鑑みなされたものであり、例えば回路面積の増大を抑制しながら保持容量線に対して容量電圧信号を好適に供給することが可能な電気光学装置、このような電気光学装置に用いられる保持容量線駆動回路、、及びこのような電気光学装置を備える電子機器を提供することを課題とする。
【課題を解決するための手段】
【０００９】
（電気光学装置）
本発明の電気光学装置は、複数の走査線と、前記複数の走査線と交差する複数のデータ線と、前記複数の走査線と前記複数のデータ線との交差に対応してマトリクス状に配置される複数の画素部と、前記複数の走査線に沿って伸張すると共に、前記複数の画素部の保持容量を形成する複数の保持容量線と、前記複数の保持容量線の夫々に対して、第１の電位レベルを有する第１容量電圧信号及び前記第１の電位レベルとは異なる第２の電位レベルを有する第２容量電圧信号を順次供給する複数の保持容量線駆動ユニットを備える保持容量線駆動回路とを備え、前記複数の保持容量線駆動ユニットの夫々は、前記容量電圧信号の極性を決定する極性信号及び前記極性信号の反転信号である反転極性信号のいずれか一方がゲートに入力される第１スイッチング素子と、前記極性信号及び前記反転極性信号のいずれか他方がゲートに入力される第２スイッチング素子と、前記第１スイッチング素子のソース及びドレインの一方に一方の端子が接続され且つ前記第２スイッチング素子のソース及びドレインの一方に他方の端子が接続されるラッチ回路と、前段行及び後段行のいずれか一方の前記走査線に供給される走査信号がゲートに入力されると共に、ソース及びドレインの一方が前記第１スイッチング素子のソース及びドレインの他方並びに前記第２スイッチング素子のソース及びドレインの他方に接続され且つソース及びドレインの他方が低位電源に接続される第３スイッチング素子と、前記ラッチ回路の一方の端子の電位レベルに応じて、前記第１容量電圧信号及び前記第２容量電圧信号のいずれか一方を選択して前記保持容量線に供給する供給回路とを備える。
【００１０】
本発明の電気光学装置によれば、例えば画像信号であるデータ信号が供給される複数のデータ線と走査信号が供給される複数の走査線との交差位置に対応するように設けられる複数の画素部を備えている。複数の画素部の夫々は、画素部毎に設けられる画素電極と、一又は複数の画素部に対応するように設けられる一又は複数の共通電極と、画素電極と共通電極との間に挟持される電気光学物質とを備えている。また、電気光学装置は、画素電極、電気光学物質及び共通電極と並列接続の関係を有する保持容量を備えている。保持容量は、複数の走査線に沿って夫々伸張する複数の保持容量線によって構成されている。そして、複数の画素電極と一又は複数の共通電極との間の電位差に起因した電圧が電気光学物質に印加されると共に、該電圧が保持容量によって保持されることで、画像表示等が行われる。
【００１１】
このような電気光学装置の駆動（特に、保持容量線の駆動）を実現するため、電気光学装置は、保持容量線駆動回路を備えている。
【００１２】
保持容量線駆動回路は、複数の保持容量線に対して第１容量電圧信号及び第２容量電圧信号を供給する。より具体的には、保持容量線駆動回路は、複数の保持容量線に対応する複数の保持容量線駆動ユニットを備えている。複数の保持容量線駆動ユニットの夫々は、複数の保持容量線のうちの対応する保持容量線に対して、第１容量電圧信号及び第２容量電圧信号のいずれかを選択して供給する。より具体的には、複数の保持容量線駆動ユニットのうち第ｋ（但し、ｋは、１≦ｋ≦Ｎ（但し、Ｎは保持容量線の数）を満たす整数）行の保持容量線駆動ユニットは、複数の保持容量線のうち第ｋ行の保持容量線に対して、第１容量電圧信号及び第２容量電圧信号のいずれかを選択して供給する。
【００１３】
このような動作を行うため、複数の保持容量線駆動ユニットの夫々は、第１スイッチング素子と、第２スイッチング素子と、第３スイッチング素子と、ラッチ回路と、供給回路とを備えている。
【００１４】
第１スイッチング素子、第２スイッチング素子及び第３スイッチング素子の夫々は、ゲートに入力される信号の電位レベルに応じて、ソースとドレインとの間の電気的な導通を切り替えるスイッチング素子であって、例えばＴＦＴ等を含んでいる。第１スイッチング素子のゲートには、極性信号及び反転極性信号のいずれか一方が供給される信号線が接続され、第１スイッチング素子のソース及びドレインの一方には、ラッチ回路の一方の端子が接続され、第１スイッチング素子のソース及びドレインの他方には、第３スイッチング素子のソースドレインの一方が接続される。また、第２スイッチング素子のゲートには、極性信号及び反転極性信号のいずれか他方が供給される信号線が接続され、第２スイッチング素子のソース及びドレインの一方には、ラッチ回路の他方の端子が接続され、第２スイッチング素子のソース及びドレインの他方には、第３スイッチング素子のソースドレインの一方が接続される。また、第３スイッチング素子のゲートには、当該第３スイッチング素子を備える保持容量線駆動回路が配置される行の前段行又は後段行の走査線が接続され、第３スイッチング素子のソース及びドレインの一方には、第１スイッチング素子のソース及びドレインの他方及び第２スイッチング素子のソース及びドレインの他方が接続され、第３スイッチング素子のソース及びドレインの他方には、低位電圧信号を供給する低位電源が接続される。
【００１５】
ラッチ回路は、情報を保持及び書換可能であり、典型的には各端子に１ビットの情報（言い換えれば、２値化された電位レベル）を保持することが可能なメモリ回路である。上述したように、ラッチ回路の一方の端子は、第１スイッチング素子のソース及びドレインの一方に接続され、ラッチ回路の他方の端子は、第２スイッチング素子のソース及びドレインの一方に接続される。また、ラッチ回路の一方の端子は、供給回路の入力端子に接続される。
【００１６】
供給回路は、ラッチ回路の一方の端子の電位レベルに応じて、第１容量電圧信号及び第２容量電圧信号のいずれか一方を選択して保持容量線に供給するための回路である。例えば、供給回路は、ラッチ回路の一方の端子の電位レベルが第１の値である場合には、第１容量電圧信号を選択して保持容量線に供給し、ラッチ回路の一方の端子の電位レベルが第１の値とは異なる第２の値である場合には、第２容量電圧信号を選択して保持容量線に供給する。
【００１７】
尚、供給回路は、典型的には、インバータとスイッチング素子から構成されることが好ましい。より具体的には、供給回路は、例えば、インバータと、ｎ型トランジスタから構成される第８スイッチング素子と、ｐ型トランジスタから構成される第９スイッチング素子を備えていることが好ましい。このとき、インバータの入力端子は、ラッチ回路の一方の端子に接続されると共に、インバータの出力端子は、第８スイッチング素子のゲート及び第９スイッチング素子のゲートの夫々に接続されることが好ましい。また、第８スイッチング素子のソース及びドレインの一方は、第１容量電圧信号が供給される信号線に接続されると共に、第８スイッチング素子のソース及びドレインの他方は、保持容量線に接続されることが好ましい。また、第９スイッチング素子のソース及びドレインの一方は、第２容量電圧信号が供給される信号線に接続されると共に、第９スイッチング素子のソース及びドレインの他方は、保持容量線に接続されることが好ましい。
【００１８】
このような構成を有する保持容量線駆動ユニットは、以下のように動作する。
【００１９】
まず、極性信号及び反転極性信号の一方が第１スイッチング素子のゲートに入力され、極性信号及び反転極性信号の他方が第２スイッチング素子のゲートに入力される。ここで、極性信号は、保持容量線に供給される容量電圧信号を決定する（言い換えれば、切り替える）ための制御信号であって、典型的には１垂直走査期間毎に電位レベルが切り替わる（つまり、ハイレベルからローレベルへ又はローレベルからハイレベルへと切り替わる）制御信号である。ここでは、極性信号がハイレベルであると共に、極性信号が第１スイッチング素子に入力され且つ反転極性信号が第２スイッチング素子に入力される場合の動作について説明する。
【００２０】
極性信号がハイレベルであるため、第１スイッチング素子はオン状態となり且つ第２スイッチング素子はオフ状態となる。ここで、前段行及び後段行のいずれか一方の走査線（より具体的には、順方向スキャンを行っている場合には、後段行の走査線であり、逆方向スキャンを行っている場合には、前段行の走査線）に供給される走査信号がハイレベルとなった場合には、第３スイッチング素子がオン状態となる。このため、第１スイッチング素子のソース及びドレインの他方及び第２スイッチング素子のソース及びドレインの他方の夫々の電位がローレベルに固定される。このとき、第１スイッチング素子がオン状態となっているため、第１スイッチング素子のソース及びドレインの一方（つまり、ラッチ回路の一方の端子）の電位がローレベルになる。このため、ラッチ回路の他方の端子の電位はハイレベルとなる。
【００２１】
このため、供給回路は、ハイレベルとなるラッチ回路の一方の端子の電位レベルに応じて、第１容量電圧信号及び第２容量電圧信号のいずれか一方を選択して保持容量線に供給する。例えば、供給回路は、ハイレベルとなるラッチ回路の一方の端子の電位レベルに応じて、第１容量電圧信号を選択して保持容量線に供給する。
【００２２】
その後、１垂直走査期間が経過した後、極性信号の電位レベルが切り替わる。つまり、極性信号の電位レベルが、ハイレベルからローレベルへと切り替わる。この場合、第１スイッチング素子はオフ状態となり且つ第２スイッチング素子はオン状態となる。ここで、前段行及び後段行のいずれか一方の走査線に供給される走査信号がハイレベルとなった時点で、第１スイッチング素子のソース及びドレインの他方及び第２スイッチング素子のソース及びドレインの他方の夫々の電位がローレベルに固定される。このとき、第２スイッチング素子がオン状態となっているため、第２スイッチング素子のソース及びドレインの一方（つまり、ラッチ回路の他方の端子）の電位がローレベルになる。このため、ラッチ回路の一方の端子の電位はハイレベルとなる。
【００２３】
このため、供給回路は、ローレベルとなるラッチ回路の一方の端子の電位レベルに応じて、第１容量電圧信号及び第２容量電圧信号のいずれか一方を選択して保持容量線に供給する。例えば、供給回路は、ローレベルとなるラッチ回路の一方の端子の電位レベルに応じて、第２容量電圧信号を選択して保持容量線に供給する。
【００２４】
これにより、１垂直走査期間毎に電位レベルが切り替えられる容量電圧信号が、各保持容量線に対して供給される。従って、複数の保持容量線に対して好適に第１容量電圧信号及び第２容量電圧信号を供給することができる。
【００２５】
更に、本発明の保持容量線駆動回路は、例えばＴＦＴ等のスイッチング素子と、ラッチ回路と、例えばインバータ及びスイッチング素子等を含む供給回路から構成されるため、相対的に回路素子数の多いＴ型のフリップフロップ回路等を用いる必要がない。このため、保持容量線駆動回路の回路素子数を削減することができ、結果として、保持容量線駆動回路の回路面積の増大を好適に抑制することができる。従って、電気光学装置の狭額縁化を図ることができる。
【００２６】
尚、保持容量線駆動回路は、隣接する２つの行の保持容量線に、夫々異なる電位レベルの容量電圧信号を供給することが好ましい。この容量電圧信号の供給動作は、１垂直走査期間毎に電位レベルが切り替わる極性信号に応じて行われる。例えば、極性信号の電位レベルがハイレベルである場合には、保持容量線駆動回路は、奇数行の保持容量線に対して、第１の電位レベル（例えば、ハイレベル）を有する第１容量電圧信号を供給する一方で、偶数行の保持容量線に対して、第２の電位レベル極性（例えば、ローレベル）を有する第２容量電圧信号を供給する。他方で、例えば、極性信号の電位レベルがローレベルである場合には、保持容量線駆動回路は、奇数行の保持容量線に対して、第２容量電圧信号を供給する一方で、偶数行の保持容量線に対して、第１容量電圧信号を供給する。
【００２７】
このような隣接する２つの行の保持容量線に異なる電位レベルの容量電圧信号を供給する構成を実現するために、前記複数の保持容量線駆動ユニットのうち第１群に属する第１保持容量線駆動ユニット（例えば、奇数行及び偶数行のいずれ一方の保持容量線駆動ユニット）では、前記極性信号が前記第１スイッチング素子のゲートに入力されると共に、前記反転極性信号が前記第２スイッチング素子のゲートに入力され、前記複数の保持容量線駆動ユニットのうち前記第１群とは異なる第２群に属する第２保持容量線駆動ユニット（例えば、奇数行及び偶数行のいずれ他方の保持容量線駆動ユニット）では、前記反転極性信号が前記第１スイッチング素子のゲートに入力されると共に、前記極性信号が前記第２スイッチング素子のゲートに入力されるように構成することが好ましい。このように構成すれば、第１保持容量線駆動ユニットが備えるラッチ回路の一方の端子の電位レベルと、第２保持容量線駆動ユニットが備えるラッチ回路の一方の端子の電位レベルとを異ならしめる（言い換えれば、反転させる）ことができる。このため、隣接する２つの行の保持容量線に異なる電位レベルの容量電圧信号を供給することができる。
【００２８】
本発明の電気光学装置の一の態様では、前記第３スイッチング素子のゲートには、前段行の前記走査線に供給される走査信号が入力され、後段行の前記走査線に供給される走査信号がゲートに入力されると共に、ソース及びドレインの一方が前記第１スイッチング素子のソース及びドレインの他方並びに前記第２スイッチング素子のソース及びドレインの他方に接続される第４スイッチング素子と、前記走査信号の走査方向が順方向であることを示すスキャン信号がゲートに入力される共に、ソース及びドレインの一方が前記第４スイッチング素子のソース及びドレインの他方に接続され且つソース及びドレインの他方が低位電源に接続される第５スイッチング素子と、前記スキャン信号の反転信号である反転スキャン信号がゲートに入力される共に、ソース及びドレインの一方が前記第３スイッチング素子のソース及びドレインの他方に接続され且つソース及びドレインの他方が低位電源に接続される第６スイッチング素子とを更に備える。
【００２９】
この態様によれば、単方向スキャンのみならず、双方向スキャンを行う電気光学装置において、上述した各種効果を好適に享受することができる。
【００３０】
具体的には、順方向スキャンを行っている場合には、順方向スキャン信号がハイレベルとなると共に、逆方向スキャン信号がローレベルとなる。従って、第５スイッチング素子がオン状態となると共に、第６スイッチング素子がオフ状態となる。このため、後段行の走査線に供給される走査信号がハイレベルとなった時点で、ラッチ回路に保持されている情報（つまり、電位レベル）の書き換えが行われる一方で、前段行の走査線に供給される走査信号がハイレベルとなった場合であっても、ラッチ回路に保持されている情報の書き換えが行われることはない。従って、画像信号の書き込みが終わった後に、容量電圧信号の選択及び供給を行うことができる。つまり、画像信号の書き込みを行っている途中の行の保持容量線に対して、容量電圧信号の選択及び供給が行われることはない。従って、動作に悪影響を及ぼすことなく、上述した各種効果を享受することができる。
【００３１】
同様に、逆方向スキャンを行っている場合には、順方向スキャン信号がローレベルとなると共に、逆方向スキャン信号がハイレベルとなる。従って、第５スイッチング素子がオフ状態となると共に、第６スイッチング素子がオン状態となる。このため、前段行の走査線に供給される走査信号がハイレベルとなった時点で、ラッチ回路に保持されている情報の書き換えが行われる一方で、後段行の走査線に供給される走査信号がハイレベルとなった場合であっても、ラッチ回路に保持されている情報の書き換えが行われることはない。従って、画像信号の書き込みが終わった後に、容量電圧信号の選択及び供給を行うことができる。つまり、画像信号の書き込みを行っている途中の行の保持容量線に対して、容量電圧信号の選択及び供給が行われることはない。従って、動作に悪影響を及ぼすことなく、上述した各種効果を享受することができる。
【００３２】
加えて、相対的に回路素子数の多いＴ型のフリップフロップ回路等を用いる必要がないという点に変わりはないため、保持容量線駆動回路の回路素子数を削減することができ、結果として、保持容量線駆動回路の回路面積の増大を好適に抑制することができる。
【００３３】
上述の如く第５スイッチング素子及び第６スイッチング素子を備える電気光学装置の態様では、前記第５スイッチング素子及び前記第６スイッチング素子は、隣接する行の２つの保持容量線駆動ユニットに対して１つずつ設けられるように構成してもよい。
【００３４】
このように構成すれば、隣接する２つの行の２つの保持容量線駆動ユニットが、１つの第５スイッチング素子及び１つの第６スイッチング素子を共有することができる。従って、保持容量線駆動回路の回路面積の増大をより一層抑制することができる。
【００３５】
尚、この構成では、第５スイッチング素子のソース及びドレインの一方は、隣接する２つの保持容量線駆動ユニットが備える２つの第４スイッチング素子の夫々のソース及びドレインの他方に接続される。同様に、第６スイッチング素子のソース及びドレインの一方は、隣接する２つの保持容量線駆動ユニットが備える２つの第３スイッチング素子の夫々のソース及びドレインの他方に接続される。
【００３６】
本発明の電気光学装置の他の態様では、前記保持容量線駆動回路に対するリセット動作のトリガーとなるリセット信号がゲートに入力されると共に、ソース及びドレインの一方が前記第１スイッチング素子のソース及びドレインの他方及び前記第２スイッチング素子のソース及びドレインの他方に接続され且つソース及びドレインの他方が低位電源に接続される第７スイッチング素子を更に備える。
【００３７】
この態様によれば、ハイレベルのリセット信号が入力された時点で、第７スイッチング素子がオン状態となる。その結果、複数の保持容量線の夫々に対してまとめて、第１容量電圧信号又は第２容量電圧信号を供給することができる。つまり、複数の保持容量線の夫々の電位レベルを、第１のレベル又は第２のレベルに固定することができる。
【００３８】
加えて、相対的に回路素子数の多いＴ型のフリップフロップ回路等を用いる必要がないという点に変わりはないため、保持容量線駆動回路の回路素子数を削減することができ、結果として、保持容量線駆動回路の回路面積の増大を好適に抑制することができる。
【００３９】
本発明の電気光学装置の他の態様では、前記極性信号及び前記反転極性信号を供給する制御回路と前記保持容量線駆動回路との間に接続されると共に、前記極性信号及び前記反転極性信号の位相差を補償する位相差制御回路を更に備える。
【００４０】
この態様によれば、極性信号の位相と反転極性信号の位相とが意図せずずれてしまう技術的な不都合の発生を好適に抑制することができる。これにより、保持容量線駆動回路の動作を安定させることができる。
【００４１】
加えて、相対的に回路素子数の多いＴ型のフリップフロップ回路等を用いる必要がないという点に変わりはないため、保持容量線駆動回路の回路素子数を削減することができ、結果として、保持容量線駆動回路の回路面積の増大を好適に抑制することができる。
【００４２】
本発明の電気光学装置の他の態様では、前記極性信号及び前記反転極性信号を供給する制御回路と前記複数の保持容量線駆動ユニットの夫々との間に接続されると共に、前記極性信号及び前記反転極性信号の位相差を補償する複数の位相差制御回路を更に備える。
【００４３】
この態様によれば、極性信号の位相と反転極性信号の位相とが意図せずずれてしまう技術的な不都合の発生を好適に抑制することができる。これにより、保持容量線駆動回路の動作を安定させることができる。
【００４４】
加えて、複数の保持容量線駆動ユニットの夫々に位相差制御回路を設けることができるため、保持容量線駆動回路の動作をより一層安定させることができる。
【００４５】
更に、相対的に回路素子数の多いＴ型のフリップフロップ回路等を用いる必要がないという点に変わりはないため、保持容量線駆動回路の回路素子数を削減することができ、結果として、保持容量線駆動回路の回路面積の増大を好適に抑制することができる。
【００４６】
（保持容量線駆動回路）
本発明の保持容量線駆動回路は、複数の走査線と、前記複数の走査線と交差する複数のデータ線と、前記複数の走査線と前記複数のデータ線との交差に対応してマトリクス状に配置される複数の画素部と、前記複数の走査線に沿って伸張すると共に、前記複数の画素部の保持容量を形成する複数の保持容量線とを備える電気光学装置に備えられる保持容量線駆動回路であって、前記保持容量線駆動回路は、前記複数の保持容量線の夫々に対して、第１の電位レベルを有する第１容量電圧信号又は前記第１の電位レベルとは異なる第２の電位レベルを有する第２容量電圧信号を順次供給する複数の保持容量線駆動ユニットを備え、前記複数の保持容量線駆動ユニットの夫々は、前記容量電圧信号の極性を決定する極性信号及び前記極性信号の反転信号である反転極性信号のいずれか一方がゲートに入力される第１スイッチング素子と、前記極性信号及び前記反転極性信号のいずれか他方がゲートに入力される第２スイッチング素子と、前記第１スイッチング素子のソース及びドレインの一方に一方の端子が接続され且つ前記第２スイッチング素子のソース及びドレインの一方に他方の端子が接続されるラッチ回路と、前段行及び後段行のいずれか一方の前記走査線に供給される走査信号がゲートに入力されると共に、ソース及びドレインの一方が前記第１スイッチング素子のソース及びドレインの他方並びに前記第２スイッチング素子のソース及びドレインの他方に接続され且つソース及びドレインの他方が低位電源に接続される第３スイッチング素子と、前記ラッチ回路の一方の端子の電位レベルに応じて、前記第１容量電圧信号及び前記第２容量電圧信号のいずれか一方を選択して前記保持容量線に供給する供給回路とを備える。
【００４７】
本発明の保持容量線駆動回路によれば、上述した本発明の電気光学装置と同様に、保持容量線駆動回路の回路面積の増大を抑制しつつ、複数の保持容量線に対して容量電圧信号を好適に供給することができる。
【００４８】
尚、上述した本発明の電気光学装置が取り得る各種態様に対応して、本発明の保持容量線駆動回路も各種態様を採用してもよい。
【００４９】
（電子機器）
上記課題を解決するために、本発明の電子機器は、上述した本発明の電気光学装置（但し、その各種態様を含む）を備える。
【００５０】
本発明の電子機器によれば、上述した本発明の電気光学装置（或いは、その各種態様）備えているため、上述した本発明の電気光学装置が享受する各種効果と同様の効果を享受することができる。つまり、上述した本発明の電気光学装置が享受する各種効果と同様の効果を享受することができる投射型表示装置、テレビ、携帯電話、電子手帳、携帯オーディオプレーヤ、ワードプロセッサ、デジタルカメラ、ビューファインダ型又はモニタ直視型のビデオレコーダ、ワークステーション、テレビ電話、ＰＯＳ端末、タッチパネルなどの各種電子機器を実現することができる。
【００５１】
本発明の作用及び他の利得は次に説明する実施の形態から更に明らかにされよう。
【図面の簡単な説明】
【００５２】
【図１】第１実施形態に係る液晶装置の基本構成を概念的に示す平面ブロック図である。
【図２】第１実施形態による画素部の回路図である。
【図３】第１実施形態に係る保持容量線駆動回路が備える保持容量線駆動ユニットの回路図である。
【図４】第１実施形態に係る保持容量線駆動ユニットによる保持容量線の駆動動作に伴う信号の時系列的な変化を示すタイミングチャートである。
【図５】第２実施形態に係る液晶装置の基本構成を概念的に示す平面ブロック図である。
【図６】第２実施形態に係る保持容量線駆動回路が備える保持容量線駆動ユニットの回路図である。
【図７】第２実施形態に係る保持容量線駆動ユニットによる保持容量線の駆動動作に伴う信号の時系列的な変化を示すタイミングチャートである。
【図８】第３実施形態に係る液晶装置の基本構成を概念的に示す平面ブロック図である。
【図９】第３実施形態に係る液晶装置が備える位相差制御回路の基本構成を概念的に示す平面ブロック図である。
【図１０】第３実施形態に係る液晶装置の変形例が備える保持容量線駆動ユニットの回路図である。
【図１１】第４実施形態に係る液晶装置が備える保持容量線駆動回路が備える保持容量線駆動ユニットの回路図である。
【図１２】液晶装置が適用されたモバイル型のパーソナルコンピュータの斜視図である。
【図１３】液晶装置が適用された携帯電話の斜視図である。
【発明を実施するための形態】
【００５３】
以下、本発明を実施するための形態を、図面に基づいて説明する。尚、以下では、本発明に係る電気光学装置の一例として、液晶装置を用いて説明を進める。
【００５４】
（１）第１実施形態
まず、図１から図４を参照して、第１実施形態に係る液晶装置１０１について説明する。
【００５５】
（１−１）液晶装置の基本構成
初めに、図１及び図２を参照して、第１実施形態に係る液晶装置１０１の基本構成について説明する。ここに、図１は、第１実施形態に係る液晶装置１０１の基本構成を概念的に示す平面ブロック図であり、図２は、第１実施形態による画素部２１の回路図である。
【００５６】
図１に示すように、第１実施形態に係る液晶装置１０１は、基板１上に形成される表示部２と、走査線駆動回路３と、データ線駆動回路４と、保持容量線駆動回路５ａ及び保持容量線駆動回路５ｂと、ドライバＩＣ１２とにより構成されている。また、表示部２には、Ｎ（但し、Ｎは２以上の整数）本の走査線１３と、Ｍ（但し、Ｍは２以上の整数）本のデータ線１４とが交差するように配置されている。Ｎ本の走査線１３の夫々は、走査線駆動回路３に接続されていると共に、Ｍ本のデータ線１４の夫々は、データ線駆動回路４に接続されている。また、Ｎ本の走査線１３に沿うように、Ｎ本の保持容量線ＳＣが配置されている。Ｎ本の保持容量線ＳＣの夫々の一方端と他方端とは、保持容量線駆動回路５ａと保持容量線駆動回路５ｂとに接続されている。尚、第１実施形態では、保持容量線駆動回路５ａと保持容量線駆動回路５ｂとは、表示部２を挟んで対向するように配置されている。
【００５７】
保持容量線駆動回路５ｂは、ドライバＩＣ１２に接続されており、スキャン信号ＣＳＶ、反転スキャン信号ＸＣＳＶ、極性信号ＰＯＬ、反転極性信号ＸＰＯＬ、容量電圧信号ＶＣＯＭＨ及び容量電圧信号ＶＣＯＭＬの信号が入力されるように構成されている。尚、スキャン信号ＣＳＶは、走査方向（スキャン方向）を切り替えるための信号であって、走査方向が順方向である場合にハイレベルとなる信号である。また、反転スキャン信号ＸＣＳＶは、スキャン信号ＣＳＶの反転信号である。また、極性信号ＰＯＬは、保持容量線ＳＣに対して供給される容量電圧信号の電位レベル（或いは、極性）を決定するための極性信号である。また、反転極性信号ＸＰＯＬは、極性信号ＰＯＬの反転信号である。また、容量電圧信号ＶＣＯＭＨは、保持容量線ＳＣに印加されるハイレベルの容量電圧信号であり、容量電圧信号ＶＣＯＭＬは、保持容量線ＳＣに印加されるローレベルの容量電圧信号である。保持容量線駆動回路５ａと保持容量線駆動回路５ｂとは電気的に接続されており、保持容量線駆動回路５ｂから保持容量線駆動回路５ａに、スキャン信号ＣＳＶ、反転スキャン信号ＸＣＳＶ、極性信号ＰＯＬ、反転極性信号ＸＰＯＬ、容量電圧信号ＶＣＯＭＨ及び容量電圧信号ＶＣＯＭＬの夫々が伝達されるように構成されている。
【００５８】
走査線駆動回路３は、ドライバＩＣ１２と接続されており、走査開始信号ＳＴＶ、クロック信号ＶＣＬＫ１、クロック信号ＶＣＬＫ２及びリセット信号Ｖ＿ＲＳＴの信号が入力されるように構成されている。尚、走査開始信号ＳＴＶは、走査線駆動回路３による一連の走査信号の供給を開始する際のトリガーとなる信号である。また、クロック信号ＶＣＬＫ１及びクロック信号ＶＣＬＫ２は、走査線駆動回路３による走査信号の供給のためのクロック信号である。また、リセット信号Ｖ＿ＲＳＴは、走査線駆動回路３の動作をリセットするための信号である。
【００５９】
データ線駆動回路４は、ドライバＩＣ１２と接続されている。また、基板１の表面上には、後述する共通電極２１３と接続されるコンタクト部１０が４つ形成されている。コンタクト部１０は、夫々、配線を介してドライバＩＣ１２に接続されている。また、基板１の端部には、ドライバＩＣ１２と接続される接続端子１１が形成されている。
【００６０】
また、図２に示すように、走査線１３と、データ線１４とが交差する位置には画素部２１が設けられている。画素部２１は、走査線１３にゲートが接続されると共に、データ線１４にソース／ドレインの一方が接続されるトランジスタ２１１と、トランジスタ２１１のソース／ドレインの他方に接続される画素電極２１２と、画素電極２１２と対向するように配置される共通電極２１３と、画素電極２１２と共通電極２１３との間に配置される液晶２１４と、保持容量２１５とによって構成されている。なお、保持容量２１５は、画素電極２１２と保持容量線ＳＣとの間に形成される。
【００６１】
（１−２）保持容量線駆動回路の詳細な構成
続いて、図３を参照して、第１実施形態に係る保持容量線駆動回路５についてより詳細に説明する。ここに、図３は、第１実施形態に係る保持容量線駆動回路５が備える保持容量線駆動ユニット５１の回路図である。
【００６２】
保持容量線駆動回路５は、保持容量線ＳＣの数と同じ数の保持容量線駆動ユニット５１を備えている。つまり、保持容量線駆動回路５は、Ｎ個の保持容量線駆動ユニット５１を備えている。Ｎ個の保持容量線駆動ユニット５１の夫々は、Ｎ本の保持容量線ＳＣのうちの対応する保持容量線ＳＣに対して容量電圧信号ＶＣＯＭＨ又は容量電圧信号ＶＣＯＭＬを供給する。より具体的には、Ｎ個の保持容量線駆動ユニット５１のうち第ｋ行の保持容量線駆動ユニット５１＃ｋは、Ｎ本の保持容量線ＳＣのうち第ｋ行の保持容量線ＳＣ＃ｋに対して容量電圧信号ＶＣＯＭＨ又はＶＣＯＭＬを供給する。以下、保持容量線駆動ユニット５１の具体的な構成について説明する。尚、保持容量線駆動回路５は、Ｎ個の保持容量線駆動ユニット５１から構成されているが、図３では、図面の簡略化のため、２行分の保持容量線駆動ユニット５１（具体的には、第ｋ行の保持容量線駆動ユニット５１＃ｋ及び第ｋ＋１行の保持容量線駆動ユニット５１＃ｋ＋１）のみを図示している。
【００６３】
図３に示すように、保持容量線駆動ユニット＃ｋは、ｎチャネルトランジスタＮＴ１からＮＴ６及びＮＴ８と、ｐチャネルトランジスタＰＴ１と、ラッチ回路５２と、インバータ５３とから構成されている。以下、ｎチャネルトランジスタおよびｐチャネルトランジスタは、トランジスタと称する。
【００６４】
尚、トランジスタＮＴ１が、本発明の「第１スイッチング素子」の一具体例を構成しており、トランジスタＮＴ２が、本発明の「第２スイッチング素子」の一具体例を構成しており、トランジスタＮＴ３が、本発明の「第３スイッチング素子」の一具体例を構成しており、トランジスタＮＴ４が、本発明の「第４スイッチング素子」の一具体例を構成しており、トランジスタＮＴ５が、本発明の「第５スイッチング素子」の一具体例を構成しており、トランジスタＮＴ６が、本発明の「第６スイッチング素子」の一具体例を構成しており、トランジスタＮＴ７が、本発明の「第７スイッチング素子」の一具体例を構成している。また、インバータ５３、トランジスタＰＴ１及びトランジスタＮＴ８からなる回路部分が、本発明の「供給回路」の一具体例を構成している。
【００６５】
トランジスタＮＴ１のゲートは、極性信号ＰＯＬが供給される信号線に接続されている。トランジスタＮＴ１のソース／ドレインの一方は、ラッチ回路５２の端子／Ｑに接続されている。トランジスタＮＴ１のソース／ドレインの他方は、トランジスタＮＴ３のソース／ドレインの一方及びトランジスタＮＴ４のソース／ドレインの一方の夫々に接続されている。
【００６６】
トランジスタＮＴ２のゲートは、反転極性信号ＸＰＯＬが供給される信号線に接続されている。トランジスタＮＴ２のソース／ドレインの一方は、ラッチ回路５２の端子Ｑに接続されている。トランジスタＮＴ２のソース／ドレインの他方は、トランジスタＮＴ３のソース／ドレインの一方及びトランジスタＮＴ４のソース／ドレインの一方の夫々に接続されている。
【００６７】
トランジスタＮＴ３のゲートは、走査信号ＧＡＴＥ＿ｋ−１が供給される前段行の走査線１３（つまり、第ｋ−１行の走査線１３）に接続されている。トランジスタＮＴ３のソース／ドレインの他方は、トランジスタＮＴ６のソース／ドレインの一方に接続されている。
【００６８】
トランジスタＮＴ４のゲートは、走査信号ＧＡＴＥ＿ｋ＋１が供給される後段行の走査線１３（つまり、第ｋ＋１行の走査線１３）に接続されている。トランジスタＮＴ４のソース／ドレインの他方は、トランジスタＮＴ５のソース／ドレインの一方に接続されている。
【００６９】
トランジスタＮＴ５のゲートは、スキャン信号ＣＳＶが供給される信号線に接続されている。トランジスタＮＴ５のソース／ドレインの他方は、ローレベルの電位レベルを有する低位電源ＶＥＥに接続されている。
【００７０】
トランジスタＮＴ６のゲートは、反転スキャン信号ＸＣＳＶが供給される信号線に接続されている。トランジスタＮＴ６のソース／ドレインの他方は、ローレベルの電位レベルを有する低位電源ＶＥＥに接続されている。
【００７１】
ラッチ回路５２の端子／Ｑには、インバータ５３の入力端子が接続されている。インバータ５３の出力端子には、トランジスタＰＴ１のゲート及びトランジスタＮＴ８のゲートの夫々が接続されている。
【００７２】
トランジスタＰＴ１のソース／ドレインの一方は、容量電圧信号ＶＣＯＭＨが供給される信号線に接続されている。トランジスタＰＴ１のソース／ドレインの他方は、トランジスタＮＴ８のソース／ドレインの一方及び第ｋ行の保持容量線ＳＣ＃ｋの夫々が接続されている。トランジスタＮＴ８のソース／ドレインの他方は、容量電圧信号ＶＣＯＭＬが供給される信号線に接続されている。
【００７３】
以上は、第ｋ行の保持容量線駆動ユニット５１＃ｋの構成について説明しているが、第ｋ＋１行の保持容量線駆動ユニット５１＃ｋ＋１についても概ね同一の構成を有している。但し、第ｋ＋１行の保持容量線駆動ユニット５１＃ｋ＋１では、トランジスタＮＴ２のゲートが、極性信号ＰＯＬが供給される信号線に接続されており、且つトランジスタＮＴ１のゲートが、反転極性信号ＸＰＯＬが供給される信号線に接続されているという点において、第ｋ行の保持容量線駆動ユニット＃ｋとは異なっている。そして、偶数行には、このような２種類の保持容量線駆動ユニット５１のうちの一方が設けられ、奇数行には、このような２種類の保持容量線駆動ユニット５１のうちの他方が設けられる。つまり、２種類の保持容量線駆動ユニット５１が交互に設けられる。
【００７４】
（１−３）動作の流れ
続いて、図４を参照して、第１実施形態に係る保持容量線駆動回路５による実際の保持容量線ＳＣの駆動動作について説明する。ここに、図４は、第１実施形態に係る保持容量線駆動回路５による保持容量線ＳＣの駆動動作に伴う信号の時系列的な変化を示すタイミングチャートである。
【００７５】
まず、図４に示すように、電源（ＶＤＤ）が立ち上げられると共に、容量電圧信号ＶＣＯＭＨが立ち上げられる。その後、極性信号ＰＯＬがハイレベルに立ち上げられると共に、反転極性信号ＸＰＯＬがローレベルに立ち下げられる。これにより、第ｋ行の保持容量線駆動ユニット５１＃ｋでは、トランジスタＮＴ１がオン状態になると共に、トランジスタＮＴ２はオフ状態となる。他方で、第ｋ＋１行の保持容量線駆動ユニット５１＃ｋ＋１では、トランジスタＮＴ１がオフ状態になると共に、トランジスタＮＴ２がオン状態となる。
【００７６】
尚、図４の説明では、順方向スキャンを行う場合の例について説明する。このため、スキャン信号ＣＳＶはハイレベルの電位レベルを有すると共に、反転スキャン信号ＸＣＳＶはローレベルの電位レベルを有する。
【００７７】
その後、走査線１３に対する走査信号の供給を開始するためのトリガーとなる走査開始信号ＳＴＶがハイレベルに立ち上げられる。これにより、走査線駆動回路３からＮ本の走査線１３に対して順次走査信号が供給される。具体的には、図４に示すように、第１行の走査線１３から第Ｎ行の走査線１３に対して、順次ハイレベルに切り替わる走査信号Ｇａｔｅ＿１から走査信号ＧＡＴＥ＿Ｎが印加される。
【００７８】
ここで、スキャン信号ＣＳＶがハイレベルの電位レベルを有すると共に、反転スキャン信号ＸＣＳＶがローレベルの電位レベルを有しているため、トランジスタＮＴ５はオン状態となると共に、トランジスタＮＴ６はオフ状態となる。この場合、第ｋ行の保持容量線駆動ユニット５１＃ｋでは、後段行である第ｋ＋１行の走査線１３に供給される走査信号ＧＡＴＥ＿ｋ＋１がハイレベルとなるタイミングで、トランジスタＮＴ４がオン状態となる。また、極性信号ＰＯＬがハイレベルに立ち上げられると共に、反転極性信号ＸＰＯＬがローレベルに立ち下げられているため、トランジスタＮＴ１がオン状態となると共に、トランジスタＮＴ２がオフ状態となっている。その結果、ラッチ回路５２の端子Ｑ側の電位がハイレベルになると共に、端子／Ｑ側の電位は、ローレベルとなる。
【００７９】
その結果、インバータ５３の入力端子の電位がローレベルとなることにより、インバータ５３の出力端子の電位はハイレベルとなる。その結果、トランジスタＰＴ１がオフ状態になると共に、トランジスタＮＴ８はオン状態となる。そして、容量電圧信号ＶＣＯＭＬが保持容量線ＳＣ＃ｋに印加される。つまり、第ｋ行の保持容量線ＳＣ＃ｋの電位が、ハイレベルからローレベルに切り替えられる。
【００８０】
このとき、第ｋ＋１行の保持容量線駆動ユニット５１＃ｋ＋１は、第ｋ行の保持容量線駆動ユニット５１＃ｋと異なり、トランジスタＮＴ１のゲートに対して反転極性信号ＸＰＯＬが入力され、トランジスタＮＴ２のゲートに対して極性信号ＰＯＬが入力されている。このため、第ｋ＋１行の保持容量線駆動ユニット５１＃ｋ＋１のラッチ回路５２には、第ｋ行の保持容量線駆動ユニット５１＃ｋのラッチ回路５２に蓄積される信号と逆の極性の信号が記憶される。従って、第ｋ＋１行の保持容量線ＳＣ＃ｋ＋１に対しては、後段行である第ｋ＋２行の走査線１３に供給される走査信号ＧＡＴＥ＿ｋ＋２がハイレベルとなるタイミングで、トランジスタＰＴ１がオン状態になると共に、トランジスタＮＴ８は、オフ状態となる。その結果、容量電圧信号ＶＣＯＭＨが保持容量線ＳＣ＃ｋ＋１に印加される。つまり、第ｋ＋１行の保持容量線ＳＣ＃ｋ＋１の電位が、ローレベルからハイレベルに切り替えられる。
【００８１】
そして、１垂直走査期間経過した後、極性信号ＰＯＬ及び反転極性信号ＸＰＯＬの信号が反転されると共に、走査開始信号ＳＴＶが再びハイレベルになる。その結果、新たな垂直走査期間が開始する。これにより、先の垂直走査期間で印加された容量電圧信号と逆の極性の容量電圧信号が保持容量線ＳＣに印加される。つまり、第ｋ行の保持容量線ＳＣ＃ｋに対して、後段行である第ｋ＋１行の走査線１３に供給される走査信号ＧＡＴＥ＿ｋ＋１がハイレベルとなるタイミングで、容量電圧信号ＶＣＯＭＨが保持容量線ＳＣ＃ｋに印加される。同様に、第ｋ＋１行の保持容量線ＳＣ＃ｋ＋１に対して、後段行である第ｋ＋２行の走査線１３に供給される走査信号ＧＡＴＥ＿ｋ＋２がハイレベルとなるタイミングで、容量電圧信号ＶＣＯＭＬが保持容量線ＳＣ＃ｋ＋１に印加される。
【００８２】
尚、順方向スキャンを行っている場合のみならず、逆方向スキャンを行っている場合であっても、順方向スキャンを行っている場合と同様に複数の保持容量線ＳＣに対して容量電圧信号ＶＣＯＭＨ又は容量電圧信号ＶＣＯＭＬを好適に供給することができる。より具体的には、逆方向スキャンを行っている場合には、スキャン信号ＣＳＶはローレベルの電位レベルを有すると共に、反転スキャン信号ＸＣＳＶはハイレベルの電位レベルを有する。このため、トランジスタＮＴ５はオフ状態となると共に、トランジスタＮＴ６はオン状態となる。従って、第ｋ行の保持容量線駆動ユニット５１＃ｋでは、前段行である第ｋ−１行の走査線１３に供給される走査信号ＧＡＴＥ＿ｋ−１がハイレベルとなるタイミングで、トランジスタＮＴ３がオン状態となり、その結果、ラッチ回路５２の端子Ｑ側の電位がローレベル（或いは、ハイレベル）になると共に、端子／Ｑ側の電位は、ハイレベル（或いは、ローレベル）となる。従って、第ｋ行の保持容量線ＳＣ＃ｋの電位が、ローレベルからハイレベルに（又は、ハイレベルからローレベルに）切り替えられる。つまり、逆方向スキャンを行っている場合には、順方向スキャンを行う場合に用いられるトランジスタＮＴ４及びＮＴ５に代えて、トランジスタＮＴ３及びＮＴ６を用いて、順方向スキャンを行う場合と同様の動作を行う。このため、逆方向スキャンを行っている場合には、前段行である第ｋ−１行の走査線１３に供給される走査信号ＧＡＴＥ＿ｋ−１がハイレベルとなるタイミングで、第ｋ行の保持容量線ＳＣ＃ｋの電位が、ローレベルからハイレベルに（又は、ハイレベルからローレベルに）切り替えられる。
【００８３】
以上説明したように、第１実施形態に係る液晶装置１０１によれば、保持容量線駆動回路５が、例えばＴＦＴ等のスイッチング素子ＮＴ１からＮＴ６、ＮＴ８及びＰＴ１と、ラッチ回路５２と、インバータ５３から構成される。このため、相対的に回路素子数の多いＴ型のフリップフロップ回路等を用いる必要がない。このため、保持容量線駆動回路５の回路素子数を削減することができる。これにより、保持容量線駆動回路５の回路面積の増大を好適に抑制しつつ、複数の保持容量線ＳＣに対して容量電圧信号ＶＣＯＭＨ又は容量電圧信号ＶＣＯＭＬを好適に供給することができる。言い換えれば、液晶装置１０１の狭額縁化を図りつつ、複数の保持容量線ＳＣに対して容量電圧信号ＶＣＯＭＨ又は容量電圧信号ＶＣＯＭＬを好適に供給することができる。
【００８４】
また、第１実施形態では、２つの保持容量線駆動回路５ａ及び５ｂが、保持容量線ＳＣの一方端と他方端とに設けられている。このため、保持容量線ＳＣが１つの保持容量線駆動回路によって駆動される場合と異なり、保持容量線ＳＣの抵抗値や寄生容量を小さくすることができる。
【００８５】
また、第１実施形態では、上記のように、２つの保持容量線駆動回路５ａ及び５ｂを、表示部２を挟んで対向するように配置している。このため、容易に、保持容量線ＳＣの一方端と他方端とに保持容量線駆動回路５ａ及び５ｂを設けることができる。
【００８６】
（２）第２実施形態
続いて、図５から図７を参照して、第２実施形態に係る液晶装置１０２について説明する。尚、第１実施形態に係る液晶装置１０１と同様の構成については、同一の符号を付してその詳細な説明については省略する。
【００８７】
（２−１）液晶装置の基本構成
初めに、図５を参照して、第２実施形態に係る液晶装置１０２の基本構成について説明する。ここに、図５は、第２実施形態に係る液晶装置１０２の基本構成を概念的に示す平面ブロック図である。
【００８８】
図５に示すように、第２実施形態に係る液晶装置１０２は、第１実施形態に係る液晶装置１０１と概ね同様の構成を有している。第２実施形態に係る液晶装置１０２では特に、第１実施形態に係る液晶装置１０１が備える各種構成に加えて、ドライバＩＣ１２から保持容量線駆動回路６ｂに対して、保持容量線駆動回路６ａ及び６ｂの動作をリセットする（言い換えれば、Ｎ本の保持容量線ＳＣをリセットする）ためのリセット信号Ｓ＿ＲＳＴが入力される。また、保持容量線駆動回路６ｂから保持容量線駆動回路６ａに、リセット信号Ｓ＿ＲＳＴが伝達されるように構成されている。
【００８９】
第２実施形態に係る液晶装置１０２（或いは、当該液晶装置１０２が備える保持容量線駆動回路６ａ及び６ｂ）は、このリセット信号Ｓ＿ＲＳＴを用いたリセット動作を行うと言う点で、第１実施形態に係る液晶装置１０１（或いは、当該液晶装置１０１が備える保持容量線駆動回路５ａ及び５ｂ）とは異なっている。以下、保持容量線駆動回路６ａ及び６ｂの構成及び動作について説明を進める。
【００９０】
（２−２）保持容量線駆動回路の詳細な構成
続いて、図６を参照して、第２実施形態に係る保持容量線駆動回路６についてより詳細に説明する。ここに、図６は、第２実施形態に係る保持容量線駆動回路６が備える保持容量線駆動ユニット６１の回路図である。
【００９１】
図６に示すように、第２実施形態に係る保持容量線駆動回路６は、第１実施形態に係る保持容量線駆動回路５と同様に、保持容量線ＳＣの数と同じ数の保持容量線駆動ユニット６１を備えている。また、第２実施形態に係る保持容量線駆動ユニット６１＃ｋ及び６１＃ｋ＋１は、第１実施形態に係る保持容量線駆動ユニット５１＃ｋ及び５１＃ｋ＋１と概ね同様の構成を有している。
【００９２】
第２実施形態に係る保持容量線駆動ユニット６１＃ｋ及び６１＃ｋ＋１の夫々は特に、第１実施形態に係る保持容量線駆動ユニット５１＃ｋ及び５１＃ｋ＋１が備える各種構成に加えて、本発明の「第７スイッチング素子」の一具体例を構成するトランジスタＮＴ７を備えている。トランジスタＮＴ７のゲートは、リセット信号Ｓ＿ＲＳＴが供給される信号線に接続されている。トランジスタＮＴ７のソース／ドレインの一方は、トランジスタＮＴ１のソース／ドレインの他方及びトランジスタＮＴ２のソース／ドレインの他方に接続されている。トランジスタＮＴ７のソース／ドレインの他方は、ローレベルの電位レベルを有する低位電源ＶＥＥに接続されている。
【００９３】
（２−３）動作の流れ
続いて、図７を参照しながら、第２実施形態に係る保持容量線駆動回路６による実際の保持容量線ＳＣの駆動動作について説明する。ここに、図７は、第２実施形態に係る保持容量線駆動回路６による保持容量線ＳＣの駆動動作に伴う信号の時系列的な変化を示すタイミングチャートである。
【００９４】
尚、第２実施形態に係る保持容量線駆動回路６は、リセット信号Ｓ＿ＲＳＴがハイレベルに立ち上がったとき以外は、第１実施形態に係る保持容量線駆動回路５と同様の動作を行う。このため、以下では、リセット信号Ｓ＿ＲＳＴがハイレベルに立ち上がった場合の保持容量線駆動回路６の動作について説明する。
【００９５】
図７に示すように、電源（ＶＤＤ）が立ち上げられると共に、容量電圧信号ＶＣＯＭＨが立ち上げられる。次に、第２実施形態では、リセット信号Ｓ＿ＲＳＴが１度だけハイレベル（アクティブレベル）となる。リセット信号Ｓ＿ＲＳＴは、外部電源の電位を常時検出するドライバＩＣ１２の出力であり、電源電位が所定値以上になり、電源（ＶＤＤ）が立ち上げられた際に、ハイレベルとなる信号である。これにより、図６に示すトランジスタＮＴ７がオン状態になる。
【００９６】
このとき、反転極性信号ＸＰＯＬがハイレベルであるため、第ｋ行の保持容量線駆動ユニット＃ｋでは、トランジスタＮＴ２がオン状態となる。その結果、ラッチ回路５２の端子Ｑ側の電位がローレベルになると共に、端子／Ｑ側の電位がハイレベルとなる。そして、インバータ５３の入力端子側がラッチ回路５２の端子／Ｑと同じハイレベルになることにより、インバータ５３の出力端子側は、ローレベルになる。これにより、トランジスタＰＴ１がオン状態となり、容量電圧信号ＶＣＯＭＨが保持容量線ＳＣＮ＃ｋに供給される。
【００９７】
一方で、反転極性信号ＸＰＯＬがハイレベルであるため、第ｋ＋１行の保持容量線駆動ユニット＃ｋ＋１では、トランジスタＮＴ１がオン状態となる。その結果、ラッチ回路５２の端子／Ｑ側の電位がローレベルになると共に、端子Ｑ側の電位がハイレベルとなる。そして、インバータ５３の入力端子側がラッチ回路５２の端子／Ｑと同じローレベルになることにより、インバータ５３の出力端子側は、ハイレベルになる。これにより、トランジスタＮＴ８がオン状態となり、容量電圧信号ＶＣＯＭＬが保持容量線ＳＣＮ＃ｋ＋１に供給される。
【００９８】
このように、第２実施形態に係る液晶装置１０２では、リセット信号Ｓ＿ＲＳＴが入力されることにより、Ｎ本の保持容量線ＳＣの電位が一斉に容量電圧信号ＶＣＯＭＨ又は容量電圧信号ＶＣＯＭＬに固定（リセット）される。このため、２つの保持容量線駆動回路６ａ及び６ｂから保持容量線ＳＣに異なる電圧が印加されるのを抑制することができる。これにより、保持容量線駆動回路６ａ（６ｂ）から保持容量線駆動回路６ｂ（６ａ）に向かって、保持容量線ＳＣを介してリーク電流が流れるのを抑制することができる。
【００９９】
また、第２実施形態では、保持容量線ＳＣが固定される電位を容量電圧信号ＶＣＯＭＨ又は容量電圧信号ＶＣＯＭＬの電位レベルに設定している。つまり、保持容量線ＳＣを反転駆動させるための高電圧側の電位である容量電圧信号ＶＣＯＭＨ及び低電圧側の電位である容量電圧信号ＶＣＯＭＬを、保持容量線ＳＣをリセットするための電位として用いることができる。このため、保持容量線ＳＣをリセットするための電位を別途生成する必要がなくなる。これにより、液晶装置１０２の構成を簡略にすることができる。
【０１００】
また、第２実施形態では、リセット信号Ｓ＿ＲＳＴが、電源ＶＤＤがオン状態になった後から走査線１３に対して走査信号の供給が開始されるまでの間に、１度だけアクティブとなるように構成している。このため、最小限の動作で、リセットが行えるので、低消費電力を実現できる。なお、電源ＶＤＤがオン状態になった後から走査線１３に対して走査信号の供給が開始されるまでの間に、リセット信号Ｓ＿ＲＳＴを複数回、アクティブとしてもよい。このようにすれば、よりリセットの動作をより確実に行うことができる。
【０１０１】
また、第２実施形態では、複数の保持容量線ＳＣの電位をリセット信号Ｓ＿ＲＳＴに基づいて一斉に固定するように構成している。このため、複数の保持容量線ＳＣの電位が順次固定される場合と異なり、リセットの動作をすばやく行うことができる。
【０１０２】
また、第２実施形態では、上記のように、トランジスタＮＴ７にリセット信号Ｓ＿ＲＳＴが入力されることにより、トランジスタＮＴ７がオン状態になることによって、保持容量線ＳＣの電位が固定されるように構成している。このため、容易に、保持容量線ＳＣの電位を固定することができる。
【０１０３】
（３）第３実施形態
続いて、図８及び図９を参照して、第３実施形態に係る液晶装置１０３について説明する。ここに、図８は、第３実施形態に係る液晶装置１０３の基本構成を概念的に示す平面ブロック図であり、図９は、第３実施形態に係る液晶装置１０３が備える位相差制御回路９０の基本構成を示すブロック図である。尚、第１実施形態に係る液晶装置１０１及び第２実施形態に係る液晶装置１０２と同様の構成については、同一の符号を付してその詳細な説明については省略する。
【０１０４】
図８に示すように、第３実施形態に係る液晶装置１０３は、第１実施形態に係る液晶装置１０１と概ね同様の構成を有している。第３実施形態に係る液晶装置１０３では特に、第１実施形態に係る液晶装置１０１が備える各種構成に加えて、ドライバＩＣ１２と保持容量線駆動回路６ｂとの間の信号線であって且つ極性信号ＰＯＬ及び反転極性信号ＸＰＯＬが供給される信号線に対して、位相差制御回路９０が設けられている。
【０１０５】
図９に示すように、位相差制御回路９０は、ドライバＩＣ１２から出力される極性信号ＰＯＬが入力端子に入力されるインバータ９１と、ドライバＩＣ１２から出力される反転極性信号が入力端子に入力されるインバータ９２と、インバータ９１の出力端子が入力端子に接続され且つ保持容量線駆動回路５が出力端子に接続されるインバータ９３と、インバータ９２の出力端子が入力端子に接続され且つ保持容量線駆動回路５が出力端子に接続されるインバータ９４と、インバータ９１とインバータ９３との間に入力端子が接続され且つインバータ９２とインバータ９４との間に出力端子が接続されるインバータ９５と、インバータ９１とインバータ９３との間に出力端子が接続され且つインバータ９２とインバータ９４との間に入力端子が接続されるインバータ９６とを備えている。
【０１０６】
第３実施形態に係る液晶装置１０３によれば、極性信号ＰＯＬ及び反転極性信号ＸＰＯＬは、ドライバＩＣ１２から位相差制御回路９０を介して保持容量線駆動回路５へと入力される。このため、位相が揃った（言い換えれば、位相ズレの殆ど或いは全くない）極性信号ＰＯＬ及び反転極性信号ＸＰＯＬが保持容量駆動回路５に対して入力される。これにより、保持容量線駆動回路５の動作の安定化を図ることができる。
【０１０７】
もちろん、第３実施形態に係る液晶装置１０３においても、第１実施形態に係る液晶装置１０１が享受する各種効果を享受することができる。また、第３実施形態に係る液晶装置１０３においても、第２実施形態に係る液晶装置１０２に特有の構成（つまり、リセット信号Ｓ＿ＲＳＴに関連する構成）を備えていてもよい。
【０１０８】
尚、図８及び図９では、ドライバＩＣ１２と保持容量線駆動回路５ｂとの間の信号線に対して１つの位相差制御回路９０を設ける例について説明している。しかしながら、保持容量線駆動回路５ａ及び５ｂの夫々の内部に、位相差制御回路９０を設けるように構成してもよい。この構成について、変形例として、図１０を参照して説明する。ここに、図１０は、第３実施形態に係る液晶装置１０３の変形例が備える保持容量線駆動ユニット７１の回路図である。
【０１０９】
図１０に示すように、第３実施形態に係る液晶装置１０３の変形例が備える保持容量線駆動回路７は、第１実施形態に係る保持容量線駆動回路５と同様に、保持容量線ＳＣの数と同じ数の保持容量線駆動ユニット７１を備えている。また、第３実施形態の変形例に係る保持容量線駆動ユニット７１＃ｋ及び７１＃ｋ＋１は、第１実施形態に係る保持容量線駆動ユニット５１＃ｋ及び５１＃ｋ＋１と概ね同様の構成を有している。
【０１１０】
第３実施形態の変形例に係る保持容量線駆動ユニット７１＃ｋ及び７１＃ｋ＋１の夫々は特に、第１実施形態に係る保持容量線駆動ユニット５１＃ｋ及び５１＃ｋ＋１が備える各種構成に加えて、極性信号ＰＯＬが供給される信号線及び反転極性信号ＸＰＯＬが供給される信号線とトランジスタＮＴ１及びトランジスタＮＴ２との間に、位相差制御回路９０を備えている。
【０１１１】
これにより、各行に備えられる保持容量線駆動ユニット７１毎に、極性信号ＰＯＬ及び反転極性信号ＸＰＯＬの夫々の位相を揃えることができる。これにより、保持容量線駆動回路５の動作のより一層の安定化を図ることができる。
【０１１２】
（４）第４実施形態
続いて、図１１を参照して、第４実施形態に係る液晶装置１０４について説明する。ここに、図１１は、第４実施形態に係る液晶装置１０４が備える保持容量線駆動回路８が備える保持容量線駆動ユニット８１の回路図である。尚、第１実施形態に係る液晶装置１０１、第２実施形態に係る液晶装置１０２及び第３実施形態に係る液晶装置１０３と同様の構成については、同一の符号を付してその詳細な説明については省略する。
【０１１３】
図１１に示すように、第４実施形態に係る保持容量線駆動ユニット８１＃ｋ及び８１＃ｋ＋１は、第１実施形態に係る保持容量線駆動ユニット５１＃ｋ及び５１＃ｋ＋１と概ね同様の構成を有している。
【０１１４】
第４実施形態では特に、隣接する２つの行の２つの容量線駆動ユニット８１＃ｋ及び８１＃ｋ＋１に対して、トランジスタＮＴ５及びトランジスタＮＴ６が共有されている。つまり、第１実施形態に係る保持容量線駆動ユニット５１＃ｋ及び５１＃ｋ＋１の夫々が個別にトランジスタＮＴ５及びトランジスタＮＴ６を備えている一方で、第４実施形態に係る保持容量線駆動ユニット８１＃ｋ及び８１＃ｋ＋１が共有のトランジスタＮＴ５及びトランジスタＮＴ６を備えているという点で、第４実施形態は第１実施形態とは異なっている。
【０１１５】
このように構成しても、第１実施形態に係る液晶装置１０１が享受する各種効果を享受することができる。加えて、隣接する２つの行の２つの容量線駆動ユニット８１＃ｋ及び８１＃ｋ＋１が、トランジスタＮＴ５及びトランジスタＮＴ６を共有することができるため、保持容量線駆動回路８の回路素子数をより一層削減することができる。これにより、保持容量線駆動回路５の回路面積の増大をより一層好適に抑制しつつ、複数の保持容量線ＳＣに対して容量電圧信号ＶＣＯＭＨ又は容量電圧信号ＶＣＯＭＬを好適に供給することができる。言い換えれば、液晶装置１０１の狭額縁化をより一層図りつつ、複数の保持容量線ＳＣに対して容量電圧信号ＶＣＯＭＨ又は容量電圧信号ＶＣＯＭＬを好適に供給することができる。
【０１１６】
尚、第４実施形態に係る液晶装置１０４においても、第２実施形態に係る液晶装置１０２に特有の構成（つまり、リセット信号Ｓ＿ＲＳＴに関連する構成）や、第３実施形態に係る液晶装置１０３に特有の構成（つまり、位相差制御回路９０に関連する構成）を備えていてもよい。
【０１１７】
（５）電子機器
続いて、図１２及び図１３を参照しながら、上述の液晶装置１０１を具備してなる電子機器の例を説明する。
【０１１８】
図１２は、上述した液晶装置１０１（或いは、１０２から１０４）が適用されたモバイル型のパーソナルコンピュータの斜視図である。図１２において、コンピュータ１２００は、キーボード１２０２を備えた本体部１２０４と、上述した液晶装置１０１を含んでなる液晶表示ユニット１２０６とから構成されている。液晶表示ユニット１２０６は、液晶装置１０１（或いは、１０２から１０４）の背面にバックライトを付加することにより構成されている。
【０１１９】
次に、上述した液晶装置１０１（或いは、１０２から１０４）を携帯電話に適用した例について説明する。図１３は、電子機器の一例である携帯電話の斜視図である。図１３において、携帯電話１３００は、複数の操作ボタン１３０２と共に、半透過反射型の表示形式を採用し、且つ上述した液晶装置１０１（或いは、１０２から１０４）と同様の構成を有する液晶装置１０１５を備えている。
【０１２０】
これらの電子機器においても、上述した液晶装置１０１（或いは、１０２から１０４）を含んでいるため、上述した各種効果を好適に享受することができる。
【０１２１】
尚、図１２及び図１３を参照して説明した電子機器の他にも、液晶テレビ、ビューファインダ型又はモニタ直視型のビデオテープレコーダ、カーナビゲーション装置、ページャ、電子手帳、電卓、ワードプロセッサ、ワークステーション、テレビ電話、ＰＯＳ端末、タッチパネルを備えた直視型の表示装置や、液晶プロジェクタ等の投射型の表示装置等が挙げられる。そして、これらの各種電子機器に適用可能なのは言うまでもない。
【０１２２】
本発明は、上述した実施例に限られるものではなく、請求の範囲及び明細書全体から読み取れる発明の要旨或いは思想に反しない範囲で適宜変更可能であり、そのような変更を伴なう電気光学装置、保持容量線駆動回路及び電子機器もまた本発明の技術的範囲に含まれるものである。
【符号の説明】
【０１２３】
３…走査線駆動回路、３１…走査線駆動ユニット、１３…走査線、５…保持容量線駆動回路、５１…保持容量線駆動ユニット、ＳＣ…保持容量線、ＳＴＶ…走査開始信号、ＮＴ１〜ＮＴ８…トランジスタ、ＰＴ１…トランジスタ、５２…ラッチ回路、５３…インバータ
【図１】
2010197544.tif 000003
【図２】
2010197544.tif 000004
【図３】
2010197544.tif 000005
【図４】
2010197544.tif 000006
【図５】
2010197544.tif 000007
【図６】
2010197544.tif 000008
【図７】
2010197544.tif 000009
【図８】
2010197544.tif 000010
【図９】
2010197544.tif 000011
【図１０】
2010197544.tif 000012
【図１１】
2010197544.tif 000013
【図１２】
2010197544.tif 000014
【図１３】
2010197544.tif 000015